(57)【要約】      （修正有）【課題】信頼性を向上させつつ、使い勝手の良い清潔な液滴吐出装置を提供する。【解決手段】記録媒体に液滴を吐出する液滴吐出ヘッドが搭載されるキャリッジと、記録媒体が搬送される方向と交差する方向にキャリッジを往復移動させるキャリッジ移動機構と、キャリッジの移動領域の一部を開放する開閉カバー６０を有する外装ケース２０と、を備え、開閉カバー６０は、外装ケース２０との係合部を第１回動軸６４として回動する第１カバー６２と、第１カバー６２に回動自在に取り付けられる第２カバー６３と、を有し、第１カバー６２および／または第２カバー６３のキャリッジの移動領域に対向する面に、分極された電荷を有する帯電部材８０を配置した。【選択図】図４
2015080904.tif 000002
【特許請求の範囲】
【請求項１】
記録媒体に液滴を吐出する液滴吐出ヘッドが搭載されるキャリッジと、
前記記録媒体が搬送される方向と交差する方向に前記キャリッジを往復移動させるキャリッジ移動機構と、
前記キャリッジの移動領域の一部を開放する開閉カバーを有する外装ケースと、を備え、
前記開閉カバーは、
前記外装ケースとの係合部を第１回動軸として回動する第１カバーと、
前記第１カバーに回動自在に取り付けられる第２カバーと、を有し、
前記第１カバーおよび／または前記第２カバーの前記キャリッジの移動領域に対向する面に、帯電部材が配置されることを特徴とする液滴吐出装置。
【請求項２】
前記第１カバーおよび前記第２カバーは、合計して前記開閉カバーの開放領域を覆う大きさの方形形状に形成され、
前記第１カバーは、一方の辺に前記外装ケースとの前記第１回動軸が形成され、
対向する他方の辺に前記第２カバーの前記第１カバーに対する第２回動軸が形成されていることを特徴とする請求項１に記載の液滴吐出装置。
【請求項３】
前記第１カバーは、前記開閉カバーの開放領域を覆う大きさに形成され、
前記第２カバーは、前記第１カバーより小さい大きさに形成されるとともに、前記第１カバーの前記キャリッジの移動領域に対向する面内に前記第２カバーの第２回動軸が配置されていることを特徴とする請求項１に記載の液滴吐出装置。
【請求項４】
前記開閉カバーが係合する前記外装ケースの開口部は、方形形状を呈し、
前記開口部の、前記第１回動軸が形成された辺と隣接する２つの辺部には、前記第２カバーの前記第２回動軸と対向する辺の両端部が係合して摺動する摺動部が設けられていることを特徴とする請求項２または３に記載の液滴吐出装置。
【請求項５】
前記帯電部材は、着脱自在に取り付けられていることを特徴とする請求項１乃至４のいずれか一項に記載の液滴吐出装置。
【請求項６】
前記帯電部材は、多孔質のエレクトレット体からなる帯電フィルターであることを特徴とする請求項１乃至５のいずれか一項に記載の液滴吐出装置。
【発明の詳細な説明】
【技術分野】
【０００１】
本発明は、媒体に液体を液滴として吐出する液滴吐出ヘッドを備えた液滴吐出装置に関する。
【背景技術】
【０００２】
近年、様々な分野で液滴吐出装置が使用されている。液滴吐出装置の一つの形態として記録用紙に対してインクを吐出する液滴吐出ヘッドとしてのインクジェットヘッドを備えたインクジェット記録装置が知られている。インクジェット記録装置において、インクジェットヘッドから吐出されたインク滴（液滴）の一部がインクミスト（微小な液滴）となって筐体内を浮遊することがある。浮遊したインクミストは筐体内の部品等に付着して各種の不具合を発生させる虞がある。そのため、インクジェット記録装置では、このようなインクミスト対策として様々な方法が提案されている。例えば、特許文献１には、インクジェット記録装置内に帯電部材を設け、浮遊するインクミストを積極的に捕集する方法が開示されている。
【先行技術文献】
【特許文献】
【０００３】
【特許文献１】特開平１０−２６４４１２号公報
【発明の概要】
【発明が解決しようとする課題】
【０００４】
帯電部材は、インクミストが発生するインクジェットヘッドの移動領域に面して設置されることが好ましい。インクジェットヘッドの移動領域に面する場所としては、移動領域の上面を覆うケース部分が考えられる。一般に、このケース部分にはインクカートリッジの交換等のメンテナンス時に開閉される開閉カバーが設けられている。この開閉カバーに帯電部材を設置すると、インクジェットヘッドの移動領域全体を覆うことができるとともに、汚れた帯電部材の交換が容易等のメリットがある。しかしながら、開閉カバーを開けた場合に、インクミストを吸着した帯電部材が露出してしまうため、ユーザーの手や衣服等が帯電部材に触れ、汚れが付着してしまうとの課題があった。
【課題を解決するための手段】
【０００５】
本発明は、上述の課題の少なくとも一部を解決するためになされたものであり、以下の形態または適用例として実現することが可能である。
【０００６】
（適用例１）記録媒体に液滴を吐出する液滴吐出ヘッドが搭載されるキャリッジと、前記記録媒体が搬送される方向と交差する方向に前記キャリッジを往復移動させるキャリッジ移動機構と、前記キャリッジの移動領域の一部を開放する開閉カバーを有する外装ケースと、を備え、前記開閉カバーは、前記外装ケースとの係合部を第１回動軸として回動する第１カバーと、前記第１カバーに回動自在に取り付けられる第２カバーと、を有し、前記第１カバーおよび／または前記第２カバーの前記キャリッジの移動領域に対向する面に、帯電部材が配置されることを特徴とする液滴吐出装置。
【０００７】
この構成によれば、液滴吐出ヘッドおよびキャリッジの移動に伴い発生する気流によって舞い上がるインクミストを、開閉カバーの第１カバーおよび／または第２カバーのキャリッジの移動領域の一部に対向する面に配置される分極化された電荷を有する帯電部材で効率的に捕集できる。また、第２カバーは、第１カバーの回動、すなわち開閉カバーの開閉に伴って回動する。そのため、メンテナンス等で開閉カバーを開けたとしても、第１カバーおよび／または第２カバーに配置されてインクミストを捕集し表面が汚れた帯電部材は、第２カバーに覆われ露出しない。その結果、ユーザーの手や衣服等が汚れた帯電部材に触れ、汚染されることを防止できる。
【０００８】
（適用例２）前記第１カバーおよび前記第２カバーは、合計して前記開閉カバーの開放領域を覆う大きさの方形形状に形成され、前記第１カバーは、一方の辺に前記外装ケースとの前記第１回動軸が形成され、対向する他方の辺に前記第２カバーの前記第１カバーに対する第２回動軸が形成されていることを特徴とする上記の液滴吐出装置。
【０００９】
この構成によれば、開閉カバーが開かれるときは、第１カバーの開動作に伴って、第２カバーは、第２回動軸を中心に回動し、所謂、中折れ状態となって開き、キャリッジの移動領域の一部が開放される。そのため、第１カバーおよび／または第２カバーに配置されてインクミストを捕集し表面が汚れた帯電部材は、第１カバーと第２カバーとの間に挟まれ外部に露出しない。その結果、ユーザーの手や衣服等が汚れた帯電部材に触れ、汚染されることを防止できる。
【００１０】
（適用例３）前記第１カバーは、前記開閉カバーの開放領域を覆う大きさに形成され、前記第２カバーは、前記第１カバーより小さい大きさに形成されるとともに、前記第１カバーの前記キャリッジの移動領域に対向する面内に前記第２カバーの第２回動軸が配置されていることを特徴とする上記の液滴吐出装置。
【００１１】
この構成によれば、開閉カバーを開くときは、第１カバーの開動作に伴って、第２カバーは、第１カバーの面内の第２回動軸を中心に回動する。そして、第１カバーが開状態になったとき、第２カバーは第１カバーの内面に接した状態となる。そのため、第１カバーおよび／または第２カバーに配置されてインクミストを捕集し表面が汚れた帯電部材は、第１カバーと第２カバーとの間に挟まれ外部に露出しない。その結果、ユーザーの手や衣服等が汚れた帯電部材に触れ、汚染されることを防止できる。
【００１２】
（適用例４）前記開閉カバーが係合する前記外装ケースの開口部は、方形形状を呈し、前記開口部の、前記第１回動軸が形成された辺と隣接する２つの辺部には、前記第２カバーの前記第２回動軸と対向する辺の両端部が係合して摺動する摺動部が設けられていることを特徴とする上記の液滴吐出装置。
【００１３】
この構成によれば、開閉カバーを開くときは、第１カバーの開動作に伴って動作する第２カバーは、第２カバーの第２回動軸と対向する辺の両端部が開口部の２つの辺に設けられた摺動部に沿って移動する。開閉カバーを閉じるときは、第２カバーは、第２カバーの第２回動軸と対向する辺の両端部が開口部の２つの辺に設けられた摺動部に沿って移動して閉じる。そのため、第２カバーの回動動作がスムーズになるとともに、開閉カバーが閉じられたとき、第１カバーおよび／または第２カバーに配置される帯電部材は、キャリッジの移動領域に面した位置に配置される。
【００１４】
（適用例５）前記帯電部材は、着脱自在に取り付けられていることを特徴とする上記の液滴吐出装置。
【００１５】
この構成によれば、インクミストを捕集して汚れた帯電部材を、新しい帯電部材と交換することが容易となる。
【００１６】
（適用例６）前記帯電部材は、多孔質のエレクトレット体からなる帯電フィルターであることを特徴とする上記の液滴吐出装置。
【００１７】
この構成によれば、帯電部材として、多孔質のエレクトレット体からなる帯電フィルターを用いることができる。帯電フィルターとは、ポリプロピレンなどの熱可塑性樹脂を素材とする不織布などの多孔質の構造体をエレクトレット体から構成したものである。エレクトレット体とは、永久的分極を保持する誘電体である。すなわち、帯電部材として帯電フィルターを用いることにより、電力消費を伴わず、簡易な構成でインクミストを捕集できる。
【図面の簡単な説明】
【００１８】
【図１】本発明を適用したプリンターを前側から見た外観斜視図。
【図２】プリンターの内部構成を示す概略縦断面図。
【図３】外装ケースを外したプリンターをプリンター後方から見た斜視図。
【図４】第１実施形態に係る開閉カバーを説明する図。
【図５】第２実施形態に係る開閉カバーを説明する図。
【発明を実施するための形態】
【００１９】
以下、本発明を適用した液滴吐出装置として、インクジェットプリンターを例にとり図面を参照して説明する。インクジェットプリンターは、インク（液体）を、液滴吐出ヘッドとしてのインクジェットヘッドからインク滴（液滴）で吐出し、記録媒体としての印刷用紙に情報を印刷する。なお、以下の説明で参照する図面では、説明および図示の便宜上、部材ないし部分の縦横の縮尺を実際のものとは異なるように表す場合がある。
【００２０】
（プリンターの全体構成について）
まず、本発明を適用したインクジェットプリンター（以下、単に「プリンター」という）の全体構成について、図１を参照して説明する。図１は、本発明を適用したプリンターを前側から見た外観斜視図である。なお、図１に示すＸ方向は、印刷用紙の幅方向を示し、Ｙ方向は、印刷用紙の排出方向を示し、Ｚ方向は、Ｘ方向およびＹ方向と直交する方向を示す。
【００２１】
図１に示すように、プリンター１０は、プリンター本体部１２と反転ユニット１３とを備えている。プリンター本体部１２は、全体としてプリンター１０の幅方向（図中Ｘ方向）に長い直方体形状をしている。プリンター本体部１２の背面の中央部分には凹部１４が形成されており、ここに、反転ユニット１３が装着されている。反転ユニット１３は、シート状の記録媒体である印刷用紙Ｐ（図２参照）の表裏を反転させた状態で当該印刷用紙Ｐをプリンター本体部１２に戻すためのユニットである。
【００２２】
プリンター本体部１２には、給紙カセット装着部１５が設けられている。給紙カセット装着部１５は、プリンター本体部１２の前面におけるプリンター１０のＺ方向の下側部分において、プリンター１０のＹ方向前方に開口している。給紙カセット装着部１５には、Ｙ方向前方から給紙カセット１６が着脱可能に装着される。給紙カセット装着部１５のＺ方向上側には排紙トレイ１７が取り付けられている。排紙トレイ１７の前端部分はプリンター本体部１２からＹ方向前方に突出している。排紙トレイ１７のＺ方向上側には、Ｙ方向後方に延びる排紙口１８が形成されている。
【００２３】
プリンター本体部１２の筐体としての外装ケース２０は、排紙口１８の上側の前面部分に操作面１９ａを備えている。操作面１９ａには、電源スイッチや状態表示ランプ等が配列されている。外装ケース２０において、排紙トレイ１７および排紙口１８の両側のプリンター１０の前面部分には、排紙口１８を挟んで矩形の開閉扉１９ｂ，１９ｃが設けられている。これらの開閉扉１９ｂ，１９ｃを開けると、図示しないインクカートリッジ装着部が露出し、同じく図示しないインクカートリッジの交換等を行うことができる。
【００２４】
外装ケース２０におけるプリンターの上面２０ａ部分は、略平坦な面となっており、その中央部分には、後述するキャリッジ３７（図２および図３参照）が移動するキャリッジ移動領域Ｓ（図３参照）の一部が外部に露出する四角形形状の開口部２１が形成されている。この開口部２１には、開閉カバー６０が開閉自在に取り付けられている。開閉カバー６０の詳細については後述する。
【００２５】
（プリンターの内部構成について）
次いで、プリンターの内部構成について図２および図３を参照して説明する。図２は、プリンターの内部構成を示す概略縦断面図であり、図３は、外装ケースを外したプリンターをプリンター後方から見た斜視図である。図２および図３に示すＸ方向、Ｙ方向およびＺ方向は、図１に示すＸ方向、Ｙ方向およびＺ方向と同一な方向を示す。
【００２６】
図２に示すように、プリンター１０には、印刷用紙Ｐを搬送するための印刷用紙供給路２２、本体側搬送路２３および反転用搬送路２４が形成されている。印刷用紙供給路２２および本体側搬送路２３は、プリンター本体部１２の外装ケース２０の内側に形成されており、反転用搬送路２４は反転ユニット１３の内部に形成されている。
【００２７】
印刷用紙供給路２２は、給紙カセット１６に積層状態で収納されている所定寸法の印刷用紙Ｐを本体側搬送路２３に供給する搬送経路である。印刷用紙供給路２２および給紙カセット１６は本体側搬送路２３のＺ方向下側に配置されている。印刷用紙供給路２２は、給紙カセット装着部１５のＹ方向の後端部分から、プリンター１０の後方に向けて斜め上方に延び湾曲して、Ｙ方向に沿う本体側搬送路２３に繋がっている。給紙カセット１６に収納されている印刷用紙Ｐは、給紙ローラー２５によって印刷用紙供給路２２に送り出される。送り出された印刷用紙Ｐは、押えローラー２６と搬送ローラー２７のニップ部を介して１枚ずつ送り出され、搬送ローラー２７と従動ローラー２８のニップ部を介して、本体側搬送路２３に向けて搬送される。
【００２８】
本体側搬送路２３は、Ｙ方向に略水平に直線状に延びて排紙口１８に至る搬送経路である。本体側搬送路２３に沿って、印刷用紙Ｐの搬送方向の上流から下流に向かって順に、紙送りローラー対３１、後述する印刷機構３０、第１排紙ローラー対３３および第２排紙ローラー対３４が配置されている。ここで、印刷機構３０による印刷位置を印刷位置Ａとする。
【００２９】
搬送ローラー２７および従動ローラー２８、紙送りローラー対３１、第１排紙ローラー対３３および第２排紙ローラー対３４は、印刷用紙Ｐを本体側搬送路２３に沿って搬送する本体側搬送機構４１を構成している。本体側搬送機構４１は、給紙カセット１６のＸ方向に配置された搬送モーター４２により駆動される。本体側搬送機構４１は、搬送モーター４２の正方向への駆動によって印刷用紙ＰをＹ方向前方に向かって搬送し、搬送モーター４２の逆方向への駆動によって印刷用紙ＰをＹ方向後方に向かって搬送する。印刷機構３０による印刷は、印刷用紙Ｐが印刷位置ＡをＹ方向前方に向かって通過する際に行われる。
【００３０】
反転用搬送路２４は、本体側搬送路２３に対して、Ｚ方向の下側に配置されており、全体として、Ｚ方向にループを描く搬送経路である。反転用搬送路２４には、当該反転用搬送路２４に沿って印刷用紙Ｐを搬送する反転用搬送機構５０として、第１反転用搬送ローラー対５１と第２反転用搬送ローラー対５２が配置されている。反転用搬送機構５０は、反転用搬送路２４の内側に配置された反転用搬送モーター５３により駆動される。反転用搬送機構５０は、本体側搬送路２３から送りこまれる印刷用紙Ｐを反転用搬送路２４に沿って図２における時計回りに搬送する。印刷用紙Ｐは、反転用搬送路２４を経由することによって表裏が反転した状態となり、本体側搬送路２３に戻される。
【００３１】
ここで、印刷機構３０について説明する。図２および図３に示すように、印刷機構３０は、印刷ヘッド３２と、キャリッジ３７と、キャリッジ移動機構３９とを備える。印刷ヘッド３２は、液滴吐出ヘッドとしてのインクジェットヘッドであり、本体側搬送路２３の上方に位置している。本体側搬送路２３において印刷ヘッド３２に対向する印刷位置Ａにはプラテン３５が印刷ヘッド３２と所定のギャップを開けて配置されている。キャリッジ３７は、印刷ヘッド３２の図示しないインク吐出面が本体側搬送路２３に向かうように印刷ヘッド３２を搭載する。
【００３２】
キャリッジ移動機構３９は、Ｘ方向に延びているキャリッジガイド軸３８と、キャリッジモーター４０を備えている。キャリッジガイド軸３８の一方の端部は、Ｘ方向の一方側でＹ方向およびＺ方向上方に延びている第１側方フレーム４５に支持されている。第１側方フレーム４５は、本体側搬送路２３に対して所定の間隔を開けて配置されている。キャリッジガイド軸３８の他方の端部は、Ｘ方向の他方側で第１側方フレーム４５と平行に延びている第２側方フレーム４６に支持されている。第２側方フレーム４６は、本体側搬送路２３を挟んで第１側方フレーム４５と所定の間隔を開けて配置されている。
【００３３】
キャリッジ移動機構３９は第１側方フレーム４５の近傍と第２側方フレーム４６の近傍にそれぞれ配置された一対のプーリー４７と、これら一対のプーリー４７の間に架け渡されたタイミングベルト４８とを備えている。タイミングベルト４８はキャリッジガイド軸３８に沿って架け渡されている。タイミングベルト４８にはキャリッジ３７が接続されており、一対の内の一方のプーリー４７にはキャリッジモーター４０の駆動力が伝達される。従って、キャリッジモーター４０の駆動によりタイミングベルト４８が回転し、これにより、キャリッジ３７がキャリッジガイド軸３８に沿ってＸ方向に往復移動する。この区間が、印刷ヘッド３２およびキャリッジ３７のキャリッジ移動領域Ｓとなる。印刷ヘッド３２には図示しない可撓性のインク流路が接続され、インク流路を介して印刷ヘッド３２が図示しないインクカートリッジに接続されている。印刷ヘッド３２が移動するとき、インク流路は印刷ヘッド３２の動きに追従して変形する。
【００３４】
（プリンターの動作について）
プリンターの動作について、同じく図２および図３を参照して説明する。プリンター１０によって両面印刷が行われる際には、まず、給紙カセット１６に収納されている印刷用紙Ｐが給紙ローラー２５によって印刷用紙供給路２２に送り出される。また搬送モーター４２が正方向に駆動され、印刷用紙供給路２２に送り出された印刷用紙Ｐが押えローラー２６および搬送ローラー２７により搬送されて、本体側搬送路２３に送り出される。本体側搬送路２３に送り出された印刷用紙Ｐは、本体側搬送機構４１によってＹ方向前方に搬送され、印刷位置Ａを通過させられる。印刷位置Ａでは、印刷ヘッド３２をＸ方向に往復移動させながら、液滴としてのインク滴を吐出する印刷動作が印刷用紙Ｐの搬送動作に同期して行われる。これにより、印刷用紙Ｐの表面に所望の情報が印刷が施される。
【００３５】
印刷用紙Ｐの表面への印刷が終了すると、搬送モーター４２は逆方向に駆動される。また、反転用搬送モーター５３が駆動される。搬送モーター４２の駆動により、印刷用紙Ｐは、本体側搬送機構４１によってＹ方向後方に向かって搬送されて、本体側搬送路２３から反転用搬送路２４に送り込まれる。反転用搬送路２４に送り込まれた印刷用紙Ｐは、反転用搬送機構５０によって反転用搬送路２４に沿って搬送され、表裏が反転した状態で本体側搬送路２３に戻される。
【００３６】
本体側搬送路２３に戻された印刷用紙Ｐは、再び本体側搬送機構４１によってＹ方向前方に搬送され、印刷ヘッド３２による印刷位置Ａを通過させられる。印刷位置Ａでは、印刷ヘッド３２をＸ方向に往復移動させながらインク滴を吐出する印刷動作が印刷用紙Ｐの搬送動作に同期して行われる。これにより、印刷用紙Ｐの裏面に印刷が施される。印刷用紙Ｐの裏面への印刷が終了すると、本体側搬送機構４１は印刷用紙Ｐを更にＹ方向前方に搬送して、排紙口１８より排出する。
【００３７】
（第１実施形態）
（第１実施形態に係る開閉カバーについて）
ここで、第１実施形態に係る開閉カバーについて図４を参照して説明する。図４は、第１実施形態に係る開閉カバーを説明する図であり、（ａ）から（ｃ）と開閉カバーの開閉動作を時系列で示す。図４に示すＸ方向、Ｙ方向およびＺ方向は、図１に示すＸ方向、Ｙ方向およびＺ方向と同一な方向を示す。
【００３８】
図４（ａ）〜（ｃ）に示すように、第１実施形態に係る開閉カバー６０は、第１カバー６２と第２カバー６３とに２分割された構造を有する。第１カバー６２は、外装ケース２０の上面２０ａに設けられた開口部２１の約半分の大きさを有する長方形の板状に形成され、一方の長辺６２ａが開口部２１のＹ方向に設けられた辺２１ａに接合され、この部分を第１回動軸６４として開閉自在に取り付けられている。
【００３９】
第２カバー６３は、上記開口部２１の残りの大きさを有する長方形の板状に形成され、第２カバー６３の一方の長辺６３ａが第１カバー６２の他方の長辺６２ｂに接合され、この部分を第２回動軸６５として回動自在に取り付けられている。
【００４０】
また、第２カバー６３の他方の長辺６３ｂのＸ方向両端部分には各々Ｘ方向の外側に突出する短軸６７ａ，６７ｂが形成されている。この短軸６７ａ，６７ｂは、外装ケース２０の開口部２１の辺２１ａの両端部分に接する辺２１ｂ，２１ｃに設けられた摺動部としてのレール６９ａ，６９ｂに係合し、Ｙ方向に摺動自在となっている。なお、この摺動部の構造は、短軸６７ａ，６７ｂを挟み込む構造であってもよいし、片側を支持する構造であってもよい。摺動構造として、公知の様々な摺動構造を適用することができる。開閉カバー６０の開閉動作をスムーズにするため、摺動部は若干のクリアランス（自由度）を有することが好ましい。
【００４１】
ここで、第１実施形態に係る開閉カバー６０の動作について説明する。図４（ａ）に示すように、開閉カバー６０を閉じた場合は、第１カバー６２および第２カバー６３は、第２回動軸６５を中心に展開し同一平面上に配置される。そのため、開閉カバー６０を構成する第１カバー６２および第２カバー６３は、外装ケース２０の上面２０ａに設けられた開口部２１（図４（ｂ）参照）を完全に覆うことができる。
【００４２】
開閉カバー６０を開ける場合は、図４（ｂ）に示すように、第２カバー６３の他方の長辺６３ｂをプリンター１０のＹ方向後方に移動させる。第２カバー６３の短軸６７ａ，６７ｂは、開口部２１の辺２１ｂ，２１ｃに設けられるレール６９ａ，６９ｂに摺動自在に係合している。また、第１カバー６２と第２カバー６３とは、第２回動軸６５を回動中心として回動、すなわち山折り状態になることができる。第１カバー６２は、第１回動軸６４を回動中心として回動、すなわち開状態に移行することができる。そのため、第２カバー６３のＹ方向の移動に伴って、第２回動軸６５部分が図中Ｚ方向上方に持ち上がり、第１カバー６２および第２カバー６３は山折り状態を形成しつつ、開口部２１を徐々に開放することができる。
【００４３】
最終的には、図４（ｃ）に示すように、第１カバー６２および第２カバー６３は、各々の内面６２ｄ，６３ｄが接する状態、すなわち２つ折り状態で、開口部２１のＹ方向後方に設けられた辺２１ａ部分に位置させることができる。その結果、開口部２１を開放しキャリッジ移動領域Ｓを外部に露出することができる。なお、開閉カバー６０を閉じる場合は、上記と逆の動作が実行される。
【００４４】
（第１実施形態に係る帯電部材の配置について）
次いで、上述の第１実施形態に係るプリンター１０に帯電部材を配置する場合について同じく図４を参照して説明する。図２および図３に示す印刷ヘッド３２としてインクジェットヘッドを搭載するプリンター１０では、印刷動作時やフラッシング動作時に、印刷ヘッド３２から吐出されたインク滴の一部が印刷用紙Ｐに向かって飛ぶインク滴本体から分離して、印刷用紙Ｐに達するまでの間にインクミスト（微細なインク滴）となって外装ケース２０の内部を浮遊することがある。浮遊するインクミストは外装ケース２０内の部品に付着して、これらを汚してしまう。また、インクミストは印刷ヘッド３２の図示しないノズルプレートの帯電やプラテン３５の帯電に起因して電荷を帯びるので、センサー類や制御基板など電荷を帯びた部品に付着して、これらに不具合を発生させることもある。
【００４５】
発明者は、実験等の結果、帯電部材がインクミストの捕集に優れるという知見を得た。本発明は、その知見に基づくものである。帯電部材は、帯電フィルター８０とも呼ばれ市販されており、大気中の小さな塵の捕捉や除去を行うために用いられている。各帯電フィルター８０は、ポリプロピレンなどの熱可塑性樹脂を素材とする不織布などの多孔質の構造体をエレクトレット体から構成したものである。エレクトレット体とは永久的分極を保持する誘電体である。帯電フィルター８０はシート状をしており、その一方の面がフィルター面８０ａとなっており、他方の面が所謂取り付け面となっている。
【００４６】
第１実施形態に係るプリンター１０では、上述の開閉カバー６０の第１カバー６２の内面６２ｄに帯電フィルター８０（第１帯電フィルター８１）が着脱自在に取り付けられており、第２カバー６３の内面６３ｄに帯電フィルター８０（第２帯電フィルター８２）が取り付けられている。なお、取り付け方法は、接着剤で剥離可能に取り付けてもよいし、フック等の仮留め部材で着脱自在に取り付けてもよい。取り付け方法として、公知の着脱技術が適用可能である。また、以降の説明で、帯電部材としての帯電フィルター全般をいうときは帯電フィルター８０といい、個別の帯電フィルターをいうときは、例えば、第１帯電フィルター８１、第２帯電フィルター８２のように称する。
【００４７】
上述の構造を有するプリンター１０は、印刷動作時、すなわち開閉カバー６０を閉じた状態では、開閉カバー６０の第１カバー６２および第２カバー６３の内面６２ｄ，６３ｄに取り付けられた第１帯電フィルター８１および第２帯電フィルター８２のフィルター面８１ａ，８２ａが、印刷ヘッド３２を搭載したキャリッジ３７のキャリッジ移動領域Ｓに対向する。そのため、印刷ヘッド３２がインク滴を吐出するときに発生し、外装ケース２０内を浮遊するインクミストを広範囲でかつ効率的に捕集することができる。
【００４８】
また、第１帯電フィルター８１のフィルター面８１ａおよび第２帯電フィルター８２のフィルター面８２ａは、捕集されたインクミストが付着して汚れている。上述の構造を有するプリンター１０は、インクカートリッジ交換や紙ジャム対応等のメンテナンス時に、開閉カバー６０を開けてキャリッジ移動領域Ｓを開放したとしても、第１カバー６２および第２カバー６３は内面６２ｄ，６３ｄが接する状態になる。そのため、第１帯電フィルター８１および第２帯電フィルター８２のフィルター面８１ａ，８２ａが外部に露出することを防ぐことができる。その結果、ユーザーの手や衣服等が汚れた帯電フィルター８０に触れ、汚染されることを防止できる。従って、信頼性を向上させつつ、使い勝手の良い清潔なプリンター１０を提供することができる。
【００４９】
なお、帯電フィルター８０は、開閉カバー６０の第１カバー６２および第２カバー６３の双方に取り付けられていてもよいし、いずれか一方であってもよい。また、帯電フィルター８０の交換は、第２カバー６３の短軸６７ａ，６７ｂが係合する外装ケース２０の開口部２１に設けられたレール６９ａ，６９ｂの一部分に切欠き部を設け、係合を解除し第１カバー６２および第２カバー６３を開放して交換してもよい。
【００５０】
（第２実施形態）
（第２実施形態に係る開閉カバーについて）
ここで、第２実施形態に係る開閉カバーについて図５を参照して説明する。図５は、第２実施形態に係る開閉カバーを説明する図であり、（ａ）から（ｃ）と開閉カバーの開閉動作を時系列で示す。なお、第１実施形態と同様な構成および内容については、符号を等しくして説明を省略する。また、図５に示すＸ方向、Ｙ方向およびＺ方向は、図１に示すＸ方向、Ｙ方向およびＺ方向と同一な方向を示す。
【００５１】
図５（ａ）〜（ｃ）に示すように、第２実施形態に係る開閉カバー６０Ａは、第１カバー６２Ａと第２カバー６３Ｂとを有する。第１カバー６２Ａは、外装ケース２０の上面２０ａに設けられた開口部２１と同等の大きさを有する長方形の板状に形成され、一方の長辺６２Ａａが開口部２１のＹ方向に設けられた辺２１ａに接合され、この部分を第１回動軸６４として開閉自在に取り付けられている。すなわち、第１カバー６２Ａのみで開口部２１を覆うことができる。
【００５２】
第２カバー６３Ａは、開口部２１の大きさの約半分を有する長方形の板状に形成され、第１カバー６２Ａの内面６２ＡｄのＹ方向のほぼ中央部分に第２カバー６３Ａの一方の長辺６３ＡａがＸ方向に沿った状態でぶら下がるように回動自在に配置されている。この第２カバー６３Ａの一方の長辺６３Ａａと第１カバー６２Ａの内面６２Ａｄとが接合する部分が第２回動軸６５として機能する。
【００５３】
また、第２カバー６３Ａの他方の長辺６３ＡｂのＸ方向両端部分には各々Ｘ方向の外側に突出する短軸６７ａ，６７ｂが形成されている。この短軸６７ａ，６７ｂは、外装ケース２０の開口部２１の辺２１ａの両端部分に接する辺２１ｂ，２１ｃに設けられた摺動部としてのレール６９ａ，６９ｂに係合し、図中Ｙ方向に摺動自在となっている。
【００５４】
ここで、第２実施形態に係る開閉カバー６０Ａの動作について説明する。図５（ａ）に示すように、開閉カバー６０Ａを閉じた場合は、第１カバー６２Ａが外装ケース２０の上面２０ａに設けられた開口部２１（図５（ｂ）参照）を覆う。このとき、第２カバー６３Ａは、第１カバー６２Ａの内面６２ＡｄのＹ方向のほぼ中央部分を回動中心として密着状態に配置され、開口部２１のＹ方向の約半分の部分を覆うように配置される。
【００５５】
開閉カバー６０Ａを開ける場合は、図５（ｂ）に示すように、第１カバー６２ＡのＹ方向前方の長辺６２Ａｂを持ち、第１回動軸６４を回動中心として回動させる。第１カバー６２Ａの回動（開動作）に伴い、第２カバー６３Ａの第２回動軸６５部分は徐々に持ち上げられる。それに伴い、第２カバー６３Ａの短軸６７ａ，６７ｂは、開口部２１の辺２１ｂ，２１ｃに設けられたレール６９ａ，６９ｂに沿って摺動してＹ方向後方に移動する。すなわち、徐々に開状態に移行することができる。
【００５６】
最終的には、図５（ｃ）に示すように、第１カバー６２Ａは、第１回動軸６４を回動中心として完全に開状態になる。このとき、第２カバー６３Ａは、第２回動軸６５を回動中心として回動し、第２カバー６３Ａの内面６３Ａｄと第１カバー６２Ａの内面６２Ａｄの一部内面６２Ｂが接する状態、すなわち一部２つ折り状態で、開口部２１のＹ方向後方に設けられた辺２１ａ（図５（ａ）参照）部分に位置させることができる。その結果、開口部２１を開放しキャリッジ移動領域Ｓを外部に露出することができる。なお、開閉カバー６０を閉じる場合は、上記と逆の動作が実行される。
【００５７】
（第２実施形態に係る帯電部材の配置について）
次いで、上述の第２実施形態に係るプリンター１０Ａに帯電部材としての帯電フィルター８０を配置する場合について同じく図５を参照して説明する。第２実施形態に係るプリンター１０Ａでは、上述の開閉カバー６０Ａの第２カバー６３Ａの内面６３Ａｄに帯電フィルター８０（第４帯電フィルター８４）が着脱自在に取り付けられている。また、第１カバー６２Ａの内面６２Ａｄの一部内面６２Ｂに同じく帯電フィルター８０（第３帯電フィルター８３）が着脱自在に取り付けられている。取り付け方法は、接着剤で剥離可能に取り付けてもよいし、フック等の仮留め部材で着脱自在に取り付けてもよい。取り付け方法として、公知の着脱技術が適用可能である。
【００５８】
上述の構造を有するプリンター１０Ａは、印刷動作時、すなわち開閉カバー６０Ａを閉じた状態では、開閉カバー６０Ａの第１カバー６２Ａの内面６２Ａｄの一部内面６２Ｂに取り付けられた第３帯電フィルター８３のフィルター面８３ａを、印刷ヘッド３２を搭載したキャリッジ３７のキャリッジ移動領域Ｓに対向させることができる。同時に、第２カバー６３Ａの内面６３Ａｄに取り付けられた第４帯電フィルター８４のフィルター面８４ａを、印刷ヘッド３２を搭載したキャリッジ３７のキャリッジ移動領域Ｓに対向させることができる。そのため、印刷ヘッド３２がインク滴を吐出するときに発生し、外装ケース２０内を浮遊するインクミストを広範囲でかつ効率的に捕集することができる。
【００５９】
また、第３帯電フィルター８３および第４帯電フィルター８４のフィルター面８３ａ，８４ａは、捕集されたインクミストが付着して汚れている。上述の構造を有するプリンター１０Ａは、インクカートリッジ交換や紙ジャム対応等のメンテナンス時に、開閉カバー６０Ａを開けてキャリッジ移動領域Ｓを開放したとしても、第１カバー６２Ａの一部内面６２Ｂと第２カバー６３Ａの６３Ａｄが接する状態になる。そのため、第３帯電フィルター８３および第４帯電フィルター８４のフィルター面８３ａ，８４ａが外部に露出することを防ぐことができる。その結果、ユーザーの手や衣服等が汚れた帯電フィルター８０に触れ、汚染されることを防止できる。従って、信頼性を向上させつつ、使い勝手の良い清潔なプリンター１０Ａを提供することができる。なお、帯電フィルター８０は、開閉カバー６０Ａの第１カバー６２Ａおよび第２カバー６３Ａの双方に取り付けられていてもよいし、いずれか一方であってもよい。
【符号の説明】
【００６０】
１０，１０Ａ…液滴吐出装置としてのプリンター、１２…プリンター本体部、２０…外装ケース、２１…開口部、３０…印刷機構、３２…液滴吐出ヘッドとしての印刷ヘッド、３７…キャリッジ、３９…キャリッジ移動機構、４１…本体側搬送機構、６０，６０Ａ…開閉カバー、６２，６２Ａ…第１カバー、６３，６３Ａ…第２カバー、６４…第１回動軸、６５…第２回動軸、６７ａ，６８ａ…短軸、６９ａ，６９ｂ…摺動部としてのレール、８０…帯電部材としての帯電フィルター、８１〜８４…第１〜第４帯電フィルター、Ａ…印刷位置、Ｐ…記録媒体としての印刷用紙、Ｓ…キャリッジ移動領域。
【図１】
2015080904.tif 000003
【図２】
2015080904.tif 000004
【図３】
2015080904.tif 000005
【図４】
2015080904.tif 000006
【図５】
2015080904.tif 000007